(57)【要約】      （修正有）【課題】電池構造を便利に取り換えることのできるマウスを提供する。【解決手段】マウスは、第一ハウジング１０１と、分離可能な方式で前記第一ハウジング１０１と接続する第二ハウジングと、前記第二ハウジングに固定するバッテリーモジュール１０３を含み、前記第二ハウジングと前記第一ハウジング１０１とが結合する時には前記バッテリーモジュール１０３と前記第一ハウジング１０１とが係合する。さらに、前記第一ハウジング１０１は第一係合部材１０１Ｅを含み、前記バッテリーモジュール１０３は第二係合部材１０３Ｅを含み、第二係合部材１０３Ｅは前記第一係合部材１０１Ｅと互いに対応し、前記第一係合部材１０１Ｅと前記第二係合部材１０３Ｅとが係合し、前記第一係合部材１０１Ｅと前記第二係合部材１０３Ｅの係合によって前記バッテリーモジュール１０３と前記第一ハウジング１０１とが係合する。【選択図】図３
2011233123.tif 000002
【特許請求の範囲】
【請求項１】
第一ハウジングと、
分離可能な方式で前記第一ハウジングと接続する第二ハウジングと、
前記第二ハウジングに固定するバッテリーモジュールと、
を含み、
前記第二ハウジングと前記第一ハウジングとが結合する時、前記バッテリーモジュールと前記第一ハウジングとが係合することを特徴とするマウス。
【請求項２】
前記第一ハウジングは第一係合部材を含み、
前記バッテリーモジュールは第二係合部材を含み、
第二係合部材は前記第一係合部材と互いに対応し、前記第一係合部材と前記第二係合部材とが係合し、且つ前記第一係合部材と前記第二係合部材の係合によって前記バッテリーモジュールと前記第一ハウジングとが係合することを特徴とする請求項１に記載のマウス。
【請求項３】
前記第一係合部材はフックであり、前記第二係合部材は係合溝であることを特徴とする請求項２に記載のマウス。
【請求項４】
前記第一ハウジングは第一弾性部材を更に含み、且つ前記第一弾性部材は前記第一係合部材に接することを特徴とする請求項２に記載のマウス。
【請求項５】
前記第一ハウジングは凹溝を更に含み、
前記第一係合部材は移動可能な方式で前記凹溝に設置され、
前記第一弾性部材は前記凹溝に設置され、且つ前記第一係合部材と前記凹溝とにそれぞれ接することを特徴とする請求項２に記載のマウス。
【請求項６】
前記第一ハウジングはスライド溝を含み、
前記バッテリーモジュールはスライドレールを含み、
前記スライドレールは前記スライド溝で滑ることを特徴とする請求項１に記載のマウス。
【請求項７】
前記第一ハウジングはストッパーと第二弾性部材を含み、前記第二弾性部材は前記ストッパーに設置され、前記バッテリーモジュールと前記第一ハウジングとが係合した時、前記バッテリーモジュールは前記第二弾性部材に接することを特徴とする請求項１に記載のマウス。
【発明の詳細な説明】
【技術分野】
【０００１】
本発明は、マウスに関するものであり、特に、電池構造を便利に取り換えることのできるマウスに関するものである。
【背景技術】
【０００２】
従来のマウス構造において、電池はマウスの電池溝に取り付けられ、さらに電池溝に電池蓋を覆い、電池蓋とマウスハウジングの係合を利用して、電池が電池溝から外れるのを防止していた。そのため、電池を取り換える時は使用者が必ず電池蓋とハウジングを分離してから電池を取り換えなければならなかった。同様に、電池を取り換えた後も必ず、電池蓋とハウジングを再び係合しなければならなかった。このような電池の取り換えは比較的時間が掛かり、使用者は手元の仕事を長時間止め、マウスの電池の取り換えを行わなければならないため、仕事の効率が大幅に低下した。
【発明の概要】
【発明が解決しようとする課題】
【０００３】
電池構造を便利に取り換えることのできるマウスを提供する。
【課題を解決するための手段】
【０００４】
本発明は、第一ハウジングと、第二ハウジングと、バッテリーモジュールと、を含むマウスを提供し、第二ハウジングは分離可能な方式で第一ハウジングと接続し、バッテリーモジュールは第二ハウジングに固定され、第二ハウジングと第一ハウジングとが結合する時、バッテリーモジュールと第一ハウジングとが係合する。
【０００５】
一つの実施例において、第一ハウジングは第一係合部材を含み、バッテリーモジュールは第二係合部材を含み、第二係合部材は第一係合部材と互いに対応し、第一係合部材と第二係合部材が係合し、且つ第一係合部材と第二係合部材との係合によって、バッテリーモジュールと第一ハウジングとを係合させることができる。
【０００６】
一つの実施例において、第一係合部材はフックであり、第二係合部材の係合溝である。
【０００７】
一つの実施例において、第一ハウジングは第一弾性部材を更に含み、且つ第一弾性部材は第一係合部材と接する。
【０００８】
一つの実施例において、第一ハウジングは凹溝を更に含み、第一係合部材は移動可能な方式で凹溝に設置し、第一弾性部材は凹溝に設置し、且つ第一係合部材と凹溝にそれぞれ接する。
【０００９】
一つの実施例において、第一ハウジングはスライド溝を含み、バッテリーモジュールはスライドレールを含み、且つスライドレールはスライド溝で滑ることができる。
【００１０】
一つの実施例において、第一ハウジングはストッパーと第二弾性部材を含み、第二弾性部材はストッパーに設置され、前記バッテリーモジュールと前記第一ハウジングが係合した時、前記バッテリーモジュールは前記第二弾性部材に接する。
【発明の効果】
【００１１】
本発明のマウスによれば、使用者が電池を取り換える時間を大幅に節約でき、その結果仕事の効率を高めることができる。
【図面の簡単な説明】
【００１２】
【図１】本発明のマウスの概略図を表している。
【図２】本発明のマウスの分解図を表している。
【図３】本発明のマウスの内部概略図を表している。
【図４】本発明のマウスの底面図を表している。
【図５】本発明のマウスの断面図を表している。
【発明を実施するための形態】
【００１３】
本発明についての上記及びその他の目的、特徴、長所が一層明確に理解されるよう、以下に具体的な好ましい実施形態を例示し、図面を参照にしながら詳細に説明する。
【実施例】
【００１４】
図１は本発明のマウスの概略図を表している。図２は本発明のマウスの分解図を表している。図１と図２とを参照して説明すると、本発明のマウス１０は、第一ハウジング１０１と、第二ハウジング１０２と、バッテリーモジュール１０３と、を含む。第二ハウジング１０２は分離可能な方式で第一ハウジング１０１と接続する。バッテリーモジュール１０３は第二ハウジング１０２に固定して設置される。第二ハウジング１０２と第一ハウジング１０１が分離した後にバッテリーモジュール１０３を直接第一ハウジング１０１から外すことができる。一方、第二ハウジング１０２を第一ハウジング１０１に取り付けた時は、バッテリーモジュール１０３は第一ハウジング１０１に取り付けられる。
【００１５】
図３は本発明のマウスの内部概略図を表し、図４は本発明のマウスの底面図を表している。図３と図４とを参照して説明すると、第一ハウジング１０１は、凹溝１０１Ｒと、第一係合部材１０１Ｅと、第一弾性部材１０１Ｓと、を含む。第一係合部材１０１Ｅはフックであり、移動可能な方式で凹溝１０１Ｒに設置され、且つ第一係合部材１０１Ｅの一部分は第一ハウジング１０１の底部に露出し（図４参照）、使用者がマウス１０の外部から第一係合部材１０１Ｅを作動することができる。第一弾性部材１０１Ｓは凹溝１０１Ｒに設置され、且つ第一係合部材１０１Ｅと凹溝１０１Ｒとにそれぞれ接する。第一弾性部材１０１Ｓは第一係合部材１０１Ｅに付勢力を与え、第一係合部材１０１Ｅが移動した後、元の位置に戻ることができる。
【００１６】
図３を参照して説明すると、バッテリーモジュール１０３は第二係合部材１０３Ｅを含み、第二係合部材１０３Ｅは係合溝であり、第一係合部材１０１Ｅと互いに対応する。図２と図３とを再度参照して説明すると、バッテリーモジュール１０３はスライドレール１０３Ｎを有し、さらに第一ハウジング１０１はスライド溝１０１Ｎを有する。バッテリーモジュール１０３を取り付ける時、バッテリーモジュール１０３はスライドレール１０３Ｎによって、スライド溝１０１Ｎに滑り、第一ハウジング１０１に移ることができる。バッテリーモジュール１０３が第一ハウジング１０１に完全に入った時、バッテリーモジュール１０３の第二係合部材１０３Ｅと第一ハウジング１０１の第一係合部材１０１Ｅとが係合すると同時に、第二ハウジング１０２は第一ハウジング１０１と接続する。
【００１７】
図５は本発明のマウスの断面図を表している。図５を参照して説明すると、第一ハウジング１０１はストッパー１０１Ｔと第二弾性部材１０１Ｓ’を更に含み、第二弾性部材１０１Ｓ’はストッパー１０１Ｔに設置する。バッテリーモジュール１０３と第一ハウジング１０１とが係合した時、換言すると、第一係合部材１０１Ｅと第二係合部材１０３Ｅが係合した時、バッテリーモジュール１０３は第二弾性部材１０１Ｓ’に接する。次いで、第二弾性部材１０１Ｓ’がストッパー１０１Ｔとバッテリーモジュール１０３との間で圧縮される（図５参照）。この時、第二弾性部材１０１Ｓ’は付勢力を蓄積し、使用者が第一ハウジング１０１の外部から第一係合部材１０１Ｅを移動した時、第一係合部材１０１Ｅと第二係合部材１０３Ｅとを相互に分離させることができる。バッテリーモジュール１０３の移動は第一係合部材１０１Ｅの制限を受けず、第二弾性部材１０１Ｓ’の弾力によって、バッテリーモジュール１０３を第一ハウジング１０１の外に弾き出すことができ、且つ第二ハウジング１０２と第一ハウジング１０１を同時に分離させる。更に、第一係合部材１０１Ｅが移動した後、第一係合部材１０１Ｅは第一弾性部材１０１Ｓを圧縮し、使用者が第一係合部材１０１Ｅを取り出した後、第一弾性部材１０１Ｓは第一係合部材１０１Ｅに付勢力を与え、第一係合部材１０１Ｅが元の位置に戻ることができる。
【００１８】
すなわち、使用者は単に外部から第一ハウジング１０１の第一係合部材１０１Ｅを移動させるだけで、第二弾性部材１０１Ｓ’がバッテリーモジュール１０３を弾き出す。同様に、新たなバッテリーモジュール１０３を取り付ける時には、第二係合部材１０３Ｅと第一係合部材１０１Ｅが係合するまで、単にバッテリーモジュール１０３を第一ハウジング１０１に滑らせればよい。
【００１９】
本発明のマウス１０は単に第一係合部材１０１Ｅの移動を利用するだけでバッテリーモジュール１０３を第一ハウジング１０１から引き出すことができ、従来の電池蓋を開けてから電池を取り換える方式と比べて、使用者が電池を取り換える時間を大幅に節約でき、その結果仕事の効率を高めることができる。
【００２０】
以上、本発明の好適な実施例を例示したが、図または説明書の説明では、類似または同一の部分は同一の符号を用いている。また、図では、実施例の形状または厚さは拡大することができ、標示を簡易化することができる。また、図中の各素子の部分はそれぞれ説明されるが注意するのは、これは本発明を限定するものではなく、本発明の趣旨及び範囲を逸脱しない限りにおいては、当業者であれば行い得る少々の変更や変形を行うことが可能である。従って、本発明が請求する保護範囲は、特許請求の範囲を基準とする。
【符号の説明】
【００２１】
１０    マウス
１０１  第一ハウジング
１０１Ｅ  第一係合部材
１０１Ｎ  スライド溝
１０１Ｒ  凹溝
１０１Ｓ  第一弾性部材
１０１Ｓ’  第二弾性部材
１０１Ｔ  ストッパー
１０２  第二ハウジング
１０３  バッテリーモジュール
１０３Ｅ  第二係合部材
１０３Ｎ  スライドレール
【図１】
2011233123.tif 000003
【図２】
2011233123.tif 000004
【図３】
2011233123.tif 000005
【図４】
2011233123.tif 000006
【図５】
2011233123.tif 000007